(57)【要約】【課題】特定の非接触ＩＣカードに読み書きすることが可能な携帯端末等を提供する。【解決手段】携帯電話１は、非接触ＩＣカード１１と無線通信するため、アンテナ３０を有するリーダライタ２９を搭載している。非接触ＩＣカード１１は、予め携帯電話１のＵＩＭ９に登録されており、携帯電話１のＵＩＭ９のメモリ４４は、非接触ＩＣカード１１のカード所有者情報７１の全て、あるいは一部を暗号化した秘密情報５２を保持する。また、非接触ＩＣカード１１のメモリ６４は、携帯電話１の携帯電話加入者情報５１の全て、あるいは一部を暗号化した秘密情報７２を保持する。非接触ＩＣカード１１は、秘密情報７２、秘密情報鍵７３を利用して携帯電話１のＵＩＭ９が予め登録されていることを確認し、無線通信を行う。【選択図】図８
2008009900.tif 000002
【特許請求の範囲】
【請求項１】
非接触ＩＣカードと携帯端末からなり、
前記携帯端末は、
前記非接触ＩＣカードの読み取り手段と、
前記非接触ＩＣカードの特定情報に対応した秘密情報と、
前記読み取り手段で前記非接触ＩＣカードを読み取ると、前記秘密情報を前記非接触ＩＣカードに送る手段と、
を具備し、
前記非接触ＩＣカードは、送られてくる前記秘密情報と、前記特定情報を照合する照合手段
を具備することを特徴とする携帯端末システム。
【請求項２】
前記特定情報は、前記非接触ＩＣカードの所有者情報、あるいは、前記非接触ＩＣカードの所有者情報の一部であることを特徴とする請求項１記載の携帯端末システム。
【請求項３】
前記非接触ＩＣカードは、前記照合手段で照合できた場合、所定の情報を前記携帯端末に送る手段を更に具備することを特徴とする請求項１記載の携帯端末システム。
【請求項４】
前記所定の情報は、カード所有者情報であることを特徴とする請求項３記載の携帯端末システム。
【請求項５】
前記所定の情報は、パスワードであることを特徴とする請求項３記載の携帯端末システム。
【請求項６】
前記非接触ＩＣカードは、他の携帯端末内に備えられることを特徴とする請求項１記載の携帯端末システム。
【請求項７】
非接触ＩＣカードと情報の送受を行う携帯端末であって、
前記非接触ＩＣカードの読み取り手段と、
前記非接触ＩＣカードの特定情報に対応した秘密情報と、
前記読み取り手段で前記非接触ＩＣカードを読み取ると、前記秘密情報を前記非接触ＩＣカードに送る手段と、
を具備することを特徴とする携帯端末。
【請求項８】
携帯端末を請求項７記載の携帯端末として機能させるＩＣチップ。
【請求項９】
携帯端末を請求項７記載の携帯端末として機能させるプログラム。
【発明の詳細な説明】
【技術分野】
【０００１】
本発明は、特定の非接触ＩＣカードと無線通信が可能な携帯端末等に関する。
【背景技術】
【０００２】
近年、クレジットカードや携帯電話に埋め込まれた非接触ＩＣカードを利用した定期券情報や電子マネー情報が普及しており、ユーザは、改札口において定期券情報を保持した非接触ＩＣカードを改札口に近接させるだけで改札口を通過することができたり、あるいは、電子マネー情報を保持する非接触ＩＣカードをリーダライタに近接させることにより、商品の代金を支払うことができる。
【０００３】
また、ユーザが常時持ち歩く携帯電話のような携帯端末に非接触ＩＣカードを搭載したものが実用化されており、ユーザはその携帯端末を利用して通話、電子メール等の各種通信を行うだけではなく、改札口を通過したり、あるいは、商品の代金を支払うことができる。（特許文献１参照）
【０００４】
さらに、携帯端末に非接触ＩＣカードのリーダライタを搭載し、携帯端末を用いて非接触ＩＣカードの読み書きを行うことができる。（特許文献２参照）
【０００５】
【特許文献１】特開２００６−８０７６３
【特許文献２】特開２００６−１６３９２５
【発明の開示】
【発明が解決しようとする課題】
【０００６】
しかしながら、上記の方法では非接触ＩＣカードのリーダライタを搭載した任意の端末により任意の非接触ＩＣカードを読み取ることができるため、例えば、クレジットカード情報や電子マネー情報等、機密性の高い情報を不用意に読み取られてしまう危険がある。
【０００７】
本発明は、このような問題に鑑みてなされたもので、その目的とするところは、特定の非接触ＩＣカードに読み書きすることが可能な携帯端末等を提供することにある。
【課題を解決するための手段】
【０００８】
前述した目的を達成するために第１の発明は、非接触ＩＣカードと携帯端末からなり、前記携帯端末は、前記非接触ＩＣカードの読み取り手段と、前記非接触ＩＣカードの特定情報に対応した秘密情報と、前記読み取り手段で前記非接触ＩＣカードを読み取ると、前記秘密情報を前記非接触ＩＣカードに送る手段と、を具備し、前記非接触ＩＣカードは、送られてくる前記秘密情報と、前記特定情報を照合する照合手段を具備することを特徴とする携帯端末システムである。
【０００９】
非接触ＩＣカードは、クレジットカード、社員証等で、携帯端末が保持している非接触ＩＣカードの特定情報に対応する秘密情報は、非接触ＩＣカードの所有者情報、あるいは、所有者情報の一部である。この秘密情報は、セキュリティを高めるため、暗号化鍵を用いて暗号化してもよい。
携帯端末の契約時等に、予め非接触ＩＣカードの特定情報に対応した秘密情報を携帯端末内部のメモリ等に書き込むことにより、携帯端末と非接触ＩＣカードとの関連付けをする。
【００１０】
非接触ＩＣカードは、携帯端末から送られてくる秘密情報と、非接触ＩＣカード内に保持する特定情報を照合した後、オフィスビル等への入退室等で必要となるパスワード等を生成し、携帯端末に送ることもできる。携帯端末は、送られたパスワード等を表示画面に表示し、ユーザはピンパッド等に表示されたパスワードを入力することにより、オフィスビルへの入退室が可能となる。
【００１１】
また、ＵＩＭを内部に備えた他の携帯端末を非接触ＩＣカードとして動作させ、携帯端末間で携帯端末、非接触ＩＣカード間と同様の処理を行うこともできる。
【００１２】
第２の発明は、非接触ＩＣカードと情報の送受を行う携帯端末であって、前記非接触ＩＣカードの読み取り手段と、前記非接触ＩＣカードの特定情報に対応した秘密情報と、前記読み取り手段で前記非接触ＩＣカードを読み取ると、前記秘密情報を前記非接触ＩＣカードに送る手段と、を具備することを特徴とする携帯端末である。
第３の発明は、携帯端末を第２の発明の携帯端末として機能させるＩＣチップである。
第４の発明は、携帯端末を第２の発明の携帯端末として機能させるプログラムである。
【発明の効果】
【００１３】
本発明によれば、特定の非接触ＩＣカードに読み書きすることが可能な携帯端末等を提供することができる。
【発明を実施するための最良の形態】
【００１４】
以下、添付図面を参照しながら、本発明に係る第１の好適な実施形態について詳細に説明する。
【００１５】
最初に、図１、２、３、４を参照しながら、本実施の形態に係る携帯電話１について説明する。
図１は、携帯電話１と非接触ＩＣカード１１の構成概略を示す図、図２は、携帯電話１のハードウエア構成図、図３は、ＵＩＭ９のハードウエア構成図、図４は、ＵＩＭ９のメモリ４４の詳細を示す図である。
【００１６】
携帯電話１は、ＵＩＭ（Ｕｓｅｒ  Ｉｄｅｎｔｉｔｙ  Ｍｏｄｕｌｅ）９を搭載している。
ＵＩＭ９は、携帯電話１等の携帯可能な通信端末に搭載される取り外し可能な記録媒体である。
ＵＩＭ９は、大きさが１５×２５ｍｍ、厚さ８ｍｍ程度の小型ＩＣカードである。
ＵＩＭ９は、携帯電話１の側面に設けられた挿入口（図示しない）、あるいは、携帯電話機３の裏側の蓋を開いたバッテリー（図示しない）の内側又は外側の所定の凹部に固定される。
【００１７】
携帯電話１は、送受信するためのアンテナ３、液晶表示パネル５のような表示部、キーボタン７等を有し、取り外し可能な記録媒体であるＵＩＭ９を搭載している。
携帯電話１は、非接触ＩＣカード１１と無線で通信する。
非接触ＩＣカード１１は、内部にアンテナを持ち、外部の端末等から発信される弱い電波を利用してデータを送受信するＩＣカードで、鉄道、バス等のプリペイドカード及び定期券、電子マネー情報を管理するサービスで利用するカード、企業の社員証などに採用されている。
非接触ＩＣカード１１は、携帯電話１に搭載されているリーダライタと無線通信を行う。
【００１８】
図２に示すように、携帯電話１は、制御部２１、無線通信部２２、表示部２３、入力部２４、通話処理部２５、メモリ２６、ＵＩＭインタフェース２７、非接触ＩＣカード部２８、リーダライタ２９、アンテナ３０等がバス３１を介して接続される。ＵＩＭインタフェース２７と非接触ＩＣカード部２８は、バス３２を介して接続されている。
【００１９】
制御部２１は、プログラムの実行を行うＣＰＵ（Ｃｅｎｔｒａｌ  Ｐｒｏｃｅｓｓｉｎｇ  Ｕｎｉｔ）と、ＯＳ（Ｏｐｅｒａｔｉｎｇ  Ｓｙｓｔｅｍ）、プログラム命令あるいはデータ等を格納するためのＲＯＭ（Ｒｅａｄ  Ｏｎｌｙ  Ｍｅｍｏｒｙ）、一時的な作業用データを格納するためのＲＡＭ（Ｒａｎｄｏｍ  Ａｃｃｅｓｓ  Ｍｅｍｏｒｙ）等のメモリから構成される。制御部２１は、携帯電話１全体を制御する。
【００２０】
無線通信部２２はアンテナ３を有し、基地局（図示しない）との間で行われる無線通信を制御する。無線通信部２２は、制御部２１の制御の下、音声に関するデータやパケット通信用のデータ等の信号を生成し、アンテナ３を介して基地局に送信したり、あるいは、基地局から送信される無線信号をアンテナ３を介して受信し、受信した信号を復調して音声に関するデータやパケット通信用のデータを取得する。
【００２１】
表示部２３は液晶表示パネル５を有し、液晶表示パネル５への表示制御を行う。
入力部２４は、数字や文字、操作指示を入力するためのキーボタン７等を有し、キーボタン７の操作に応じた信号を制御部２１に出力する。
通話処理部２５は、マイクロフォンやスピーカ、音声処理部等を有し、制御部２１の制御により呼接続、切断処理を含む通話処理を行う。
メモリ２６は、携帯電話１にインストールされているアプリケーションプログラムや、電話番号及びメールアドレス等のアドレス帳データ等が格納されている。
ＵＩＭインタフェース２７は、携帯電話１に搭載されたＵＩＭ９と携帯電話１との間の通信を制御する。
【００２２】
非接触ＩＣカード部２８は、１あるいは２以上のチップからなるＬＳＩ（Ｌａｒｇｅ  Ｓｃａｌｅ  Ｉｎｔｅｇｒａｔｉｏｎ）により構成され、非接触ＩＣカード部２８、リーダライタ２９、アンテナ３０とで一つのモジュールを構成する。
非接触ＩＣカード１１、あるいは他の携帯端末や装置に搭載されている外部のリーダライタ（図示しない）から送信される電磁波は、アンテナ３０により受信され、受信した電磁波を変換して非接触ＩＣカード部２８に与えられる。非接触ＩＣカード部２８は、アンテナ３０を介して非接触ＩＣカード１１、あるいは外部のリーダライタに電磁波を応答信号として送信する。
【００２３】
図３に示すように、ＵＩＭ９は、ＣＰＵ４１、ＲＯＭ４２、ＲＡＭ４３、メモリ４４がバス４５を介して接続される。
【００２４】
ＣＰＵ４１は、プログラムの実行を行う。ＲＯＭ４２は、プログラム命令あるいはデータ等を格納する。ＲＡＭ４３は、プログラムの実行中、一時的にデータ等を格納する。
【００２５】
メモリ４４は、ＵＩＭ９の動作に必要となるデータ等を保存している。
図４に示すように、メモリ４４は、携帯電話加入者情報５１、秘密情報５２、秘密情報鍵５３、実行環境５４、コマンド配送機能５５、アプリケーション（１）５６−１〜アプリケーション（ｎ）５６−ｎ等を有する。
【００２６】
携帯電話加入者情報５１は携帯電話１の加入者に関する情報で、携帯電話１の電話番号、ＩＭＳＩ(Ｉｎｔｅｒｎａｔｉｏｎａｌ  Ｍｏｂｉｌｅ  Ｓｕｂｃｒｉｂｅｒ  Ｉｄｅｎｔｉｔｙ)のような、ＵＩＭ９に対して一意的に付けられるシリアル番号等を含む。携帯電話加入者情報５１は、携帯電話サービス契約時、販売店等でＵＩＭ９のメモリ４４に書き込まれる。
【００２７】
秘密情報５２は、携帯電話１で読み書きが可能な非接触ＩＣカード１１に関する情報で、非接触ＩＣカード１１のカード所有者情報と同一の情報、あるいは、カード所有者情報の一部を暗号化した値である。
例えば、非接触ＩＣカード１１がクレジットカードである場合、秘密情報５２は、カード所有者情報として非接触ＩＣカード１１が保持しているクレジットカード番号、セキュリティコード、氏名、有効期限、パスワード等の全て、あるいは、一部を暗号化した値である。
秘密情報鍵５３は、秘密情報５２を暗号化するのに使用する暗号化鍵である。
秘密情報５２及び秘密情報鍵５３は、ＵＩＭ９を発行している工場等で書き込まれる。
携帯端末１が複数の非接触ＩＣカード１１を読み書き可能な場合、各非接触ＩＣカード１１に関連する秘密情報５２、秘密情報鍵５３を保持する必要がある。
【００２８】
実行環境５４は、コンピュータのＯＳのような働きをする機能で、ＵＩＭ９のＣＰＵ４１は、実行環境５４に従ってＵＩＭ９全体を制御し、また、アプリケーション（１）５６−１〜アプリケーション（ｎ）５６−ｎ等を実行する。
実行環境５４は、コマンド配送機能５５を有する。
【００２９】
コマンド配送機能５６は、携帯電話１のキーボタン７の操作等により出力されるコマンドを、ＵＩＭ９内のアプリケーション（１）５６−１〜アプリケーション（ｎ）５６−ｎ等に受け渡す。
【００３０】
アプリケーション（１）５６−１〜アプリケーション（ｎ）５６−ｎは、携帯電話１及び／またはＵＩＭ９上で実行される様々なＵＩＭアプリケーションである。
【００３１】
次に、図５、６を参照しながら非接触ＩＣカード１１について説明する。
図５は、非接触ＩＣカード１１のハードウエア構成図、図６は、非接触ＩＣカード１１のメモリ６４の詳細を示す図である。
【００３２】
図５に示すように、非接触ＩＣカード１１は、ＣＰＵ６１、ＲＯＭ６２、ＲＡＭ６３、メモリ６４、通信部６５がバス６７を介して接続される。
【００３３】
ＣＰＵ６１は、プログラムの実行を行う。ＲＯＭ６２は、プログラム命令あるいはデータ等を格納する。ＲＡＭ６３は、プログラムの実行中、一時的にデータ等を格納する。
【００３４】
メモリ６４は、非接触ＩＣカード１１の動作に必要となるデータ等を保存している。
図６に示すように、メモリ６４はカード所有者情報７１、秘密情報７２、秘密情報鍵７３等を有する。
カード所有者情報７１は、非接触ＩＣカード１１の所有者に関する情報で、例えば、非接触ＩＣカード１１がクレジットカードである場合、カード所有者情報７１はクレジットカード番号、セキュリティコード、氏名、有効期限、パスワード等である。
【００３５】
秘密情報７２は、非接触ＩＣカード１１を読み書きすることが可能な携帯電話１に関する情報で、携帯電話１の携帯電話加入者情報５１の全て、あるいは一部を暗号化した値である。
秘密情報鍵７３は、秘密情報７２を暗号化するのに使用する暗号化鍵である。
秘密情報７２及び秘密情報鍵７３は、非接触ＩＣカード１１を発行している工場で書き込まれる。あるいは、秘密情報７２及び秘密情報鍵７３は、家電量販店の店頭、ＵＩＭ９を発行する場所、非接触ＩＣカード１１を発行する場所で書き込んでもよい。
【００３６】
通信部６５はアンテナ６６を有し、アンテナ６６を介して携帯端末１のリーダライタ２９と無線通信する。
【００３７】
次に、図７、８を参照しながら、第１の実施形態の動作について説明する。
図７は、第１の実施形態の構成を示す図、図８は、第１の実施形態によるクレジットカードの決済履歴表示処理の流れを示すフローチャートである。
【００３８】
図７に示すように、携帯電話１は基地局８４を介してインターネット等のネットワーク８５に接続している。非接触ＩＣカード１１は、予め携帯電話１のＵＩＭ９に登録されたクレジットカードで、携帯電話１のＵＩＭ９のメモリ４４は、非接触ＩＣカード１１のカード所有者情報７１の全て、あるいは一部を暗号化した秘密情報５２を保持している。また、非接触ＩＣカード１１のメモリ６４は、携帯電話１の携帯電話加入者情報５１の全て、あるいは一部を暗号化した秘密情報７２を保持している。
認証サーバ８１は、クレジットカードである非接触ＩＣカード１１に関するサービスを提供するサーバで、ネットワーク８５に接続している。
【００３９】
携帯電話１で非接触ＩＣカード１１の決済履歴を表示しようとする場合、携帯電話１のユーザは非接触ＩＣカード１１を携帯電話１に近接させ、携帯電話１のボタンを押下するか、あるいはメニューから選択すると、携帯電話１の制御部２１はリーダライタ２９に接続されたアンテナ３０を介して、非接触ＩＣカード１１に対して接続要求を出す（ステップ１０１）。
【００４０】
非接触ＩＣカード１１のＣＰＵ６１は、アンテナ６６を介して携帯電話１からの接続要求を受信し、携帯電話１に対して秘密情報を要求する（ステップ１０２）。携帯電話１の制御部２１は、非接触ＩＣカード１１からの要求に応答して、秘密情報５２を非接触ＩＣカード１１に送る（ステップ１０３）。
この時、セキュリティを高めるため、秘密情報５２を秘密情報鍵５３で暗号化してもよい。
【００４１】
非接触ＩＣカード１１のＣＰＵ６１は、携帯電話１から送られた秘密情報５２を受信し、携帯電話１のＵＩＭ９が予め登録されているものかどうかを判定し（ステップ１０４）、携帯電話１のＵＩＭ９が予め登録されているＵＩＭならばカード所有者情報７１を携帯電話１に送る（ステップ１０５）。秘密情報５２が秘密情報鍵５３で暗号化されている場合、非接触ＩＣカード１１のＣＰＵ６１は秘密情報鍵７３を用いて解読する。
携帯電話１のＵＩＭ９が予め登録されているＵＩＭではない場合、非接触ＩＣカード１１のＣＰＵ６１はエラーを送る（ステップ１０６）。
【００４２】
携帯電話１の制御部２１は、非接触ＩＣカード１１から送られたカード所有者情報７１を表示部２３に表示し（ステップ１０７）、基地局８４、ネットワーク８５を介して認証サーバ８１に携帯電話加入者情報５１と、非接触ＩＣカード１１から送られたカード所有者情報７１を送り、非接触ＩＣカード１１の決済履歴のダウンロードを要求する（ステップ１０８）。
【００４３】
認証サーバ８１は、携帯電話１から携帯電話加入者情報５１、カード所有者情報７１を受信し、携帯電話加入者情報５１を元に携帯電話１のＵＩＭ９が正しい携帯電話加入者であることを認証する（ステップ１０９）。認証後、認証サーバ８１は非接触ＩＣカード１１の決済履歴をネットワーク８５、基地局８４を介して携帯電話１に送る（ステップ１１０）。携帯電話１の制御部２１は、認証サーバ８１から送られた非接触ＩＣカード１１の決済履歴を受信し、表示部２３に表示する（ステップ１１１）。
セキュリティを高めるため、携帯電話１のＵＩＭ９が正しい携帯電話加入者であることを認証した後、決済履歴管理用認証サーバ（図示しない）が携帯電話１から送られたカード所有者情報７１を元に正しいカード所有者であることを認証し、認証後、非接触ＩＣカード１１の決済履歴を認証サーバ８１に送るようにしてもよい。
【００４４】
以上、説明したように本実施の形態によれば、携帯電話１は予め登録された特定の非接触ＩＣカード１１の読み取りが可能となる。
また、非接触ＩＣカード１１がクレジットカードの場合、家族カードについても予め携帯電話１のＵＩＭ９に登録しておくことにより、家族カード分の決済履歴を携帯電話１で表示することもできる。
同様にして、ＥＴＣ（Ｅｌｅｃｔｒｏｎｉｃ  Ｔｏｌｌ  Ｃｏｌｌｅｃｔｉｏｎ）カードの走行履歴等を表示することもできる。
【００４５】
次に、図９、１０を参照しながら、本発明の携帯電話に係る第２の実施の形態について説明する。
図９は、第２の実施形態の構成を示す図、図１０は、第２の実施形態による社員証認証の処理の流れを示すフローチャートである。
【００４６】
図９に示すように、携帯電話１は基地局８４を介してインターネット等のネットワーク８５に接続している。
非接触ＩＣカード１１は社員証で、オフィスビルに設置したカードリーダ等によりオフィス空間への入退室を管理したり、勤怠管理、電子決済等が可能である。
非接触ＩＣカード１１は予め携帯電話１のＵＩＭ９に登録されており、携帯電話１のＵＩＭ９のメモリ４４は、非接触ＩＣカード１１のカード所有者情報７１の全て、あるいは一部を暗号化した秘密情報５２を保持している。また、非接触ＩＣカード１１のメモリ６４は、携帯電話１の携帯電話加入者情報５１の全て、あるいは一部を暗号化した秘密情報７２を保持している。
【００４７】
認証サーバ８１は、社員証である非接触ＩＣカード１１に関するサービスを提供するサーバで、ネットワーク８５に接続している。
ピンパッド８６は、オフィスビルの入り口等に設置されており、パスワード入力等により、入退室を管理する。ピンパッド８６が設置されている入り口には、非接触ＩＣカード１１のためのカードリーダ等は設置されていないものとする。従って、この入り口から入退室する場合、ピンパッド８６でパスワードを入力することが要求される。
【００４８】
ピンパッド８６が設置された入り口から入退室しようとする場合、携帯電話１のユーザは非接触ＩＣカード１１を携帯電話１に近接させ、携帯電話１のボタンを押下するか、あるいはメニューから選択すると、携帯電話１の制御部２１はリーダライタ２９に接続されたアンテナ３０を介して、非接触ＩＣカード１１に対して接続要求を出す（ステップ２０１）。
【００４９】
非接触ＩＣカード１１のＣＰＵ６１は、アンテナ６６を介して携帯電話１からの接続要求を受信し、携帯電話１に対して秘密情報を要求する（ステップ２０２）。携帯電話１の制御部２１は、非接触ＩＣカード１１からの要求に応答して、秘密情報５２を非接触ＩＣカード１１に送る（ステップ２０３）。
この時、セキュリティを高めるため、秘密情報５２を秘密情報鍵５３で暗号化してもよい。
【００５０】
非接触ＩＣカード１１のＣＰＵ６１は、携帯電話１から送られた秘密情報５２を受信し、携帯電話１のＵＩＭ９が予め登録されているものかどうかを判定し（ステップ２０４）、携帯電話１のＵＩＭ９が予め登録されているＵＩＭならばパスワードを生成し、携帯電話１に送る（ステップ２０５）。秘密情報５２が秘密情報鍵５３で暗号化されている場合、非接触ＩＣカード１１のＣＰＵ６１は秘密情報鍵７３を用いて解読する。
非接触ＩＣカード１１のＣＰＵ６１が生成するパスワードはワンタイムパスワードで、１回毎に、あるいは時間経過に従って変化する。
携帯電話１のＵＩＭ９が予め登録されているＵＩＭではない場合、非接触ＩＣカード１１のＣＰＵ６１はエラーを送る（ステップ２０６）。
【００５１】
携帯電話１の制御部２１は、非接触ＩＣカード１１から送られたパスワードを表示部２３に表示する（ステップ２０７）。ユーザは、携帯電話１の表示部２３に表示されたパスワードをピンパッド８６に入力することにより、オフィスビルの入退室が可能となる。
【００５２】
以上に説明した第２の実施の形態では、携帯電話と非接触ＩＣカードを用いたワンタイムパスワードを採用することにより、非接触ＩＣカード１１のカードリーダがない場合でもピンパッドを用いてセキュリティを高めることができる。
【００５３】
次に、図１１、１２、１３を参照しながら、本発明の携帯電話に係る第３の実施の形態について説明する。
図１１は、第３の実施形態の構成を示す図、図１２は、携帯電話１’のＵＩＭ９’のメモリ４４’の詳細を示す図、図１３は、第３の実施形態による電子チケット分配の処理の流れを示すフローチャートである。
【００５４】
図１１に示すように、携帯電話１、携帯電話１’は基地局８４を介してインターネット等のネットワーク８５に接続している。携帯電話１及び携帯電話１’は、それぞれＵＩＭ９、ＵＩＭ９’を搭載している。
ＵＩＭ９’はＵＩＭ９と同じハードウエア構成で、ＵＩＭ９’のメモリ４４’はＵＩＭ９’の動作に必要となるデータ等を保存している。
図１２に示すように、メモリ４４’は、携帯電話加入者情報５１’、秘密情報５２’、秘密情報鍵５３’、実行環境５４’、コマンド配送機能５５’、アプリケーション（１）５６’−１〜アプリケーション（ｎ）５６’−ｎ等を有する。
【００５５】
携帯電話１で電子チケットを２人分購入し、１人分を携帯電話１’に分配する場合、携帯電話１’は非接触ＩＣカードとして振る舞う。
認証サーバ８１は、電子チケットを発行するサービスを提供するサーバで、ネットワーク８５に接続している。
【００５６】
携帯電話１及び携帯電話１’間で電子チケットの分配を行う場合、携帯電話１のＵＩＭ９と携帯電話１’のＵＩＭ９’は相互に秘密情報５２、５２’を交換することにより、予め登録をする（ステップ３０１）。携帯電話１のＵＩＭ９のメモリ４４は、携帯電話１’の携帯電話加入者情報５１’の全て、あるいは一部を暗号化した秘密情報５２を保持する。また、携帯電話１’のＵＩＭ９’のメモリ４４’は、携帯電話１の携帯電話加入者情報５１の全て、あるいは一部を暗号化した秘密情報５２’を保持する。
携帯電話１’のユーザが携帯電話１のユーザに電子チケットの購入を依頼するため、携帯電話１’が所有している電子マネーを携帯電話１に預ける際、相互に秘密情報５２、５２’を交換してもよい。
【００５７】
ユーザが携帯電話１のキーボタン７等を操作してメニューを選択することにより、携帯電話１の制御部２１は、ネットワーク８５を介して認証サーバ８１に接続し、電子チケットを２人分購入する（ステップ３０２）。
【００５８】
携帯電話１で購入した電子チケットを携帯電話１’に分配するには、携帯電話１と携帯電話１’を近接させ、携帯電話１のボタンを押下するか、あるいはメニューから選択すると、携帯電話１の制御部２１はリーダライタ２９に接続されたアンテナ３０を介して、携帯電話１’に対して接続要求を出す（ステップ３０３）。
【００５９】
携帯電話１’の制御部は携帯電話１からの接続要求に応答して、秘密情報５２’を携帯電話１に送る（ステップ３０４）。
この時、セキュリティを高めるため、秘密情報５２を秘密情報鍵５３で暗号化してもよい。
【００６０】
携帯電話１の制御部２１は、携帯電話１’から送られた秘密情報５２’を受信し、携帯電話１’のＵＩＭ９’が予め登録されているものかどうかを判定し（ステップ３０５）、携帯電話１’のＵＩＭ９’が予め登録されている携帯電話ならば、携帯電話１’に１人分の電子チケットを送る（ステップ３０６）。携帯電話１’は、携帯電話１から送られた電子チケットを受信し、保存する（ステップ３０８）。秘密情報５２が秘密情報鍵５３で暗号化されている場合、携帯電話１の制御部２１は、秘密情報鍵５３を用いて解読する。
携帯電話１’のＵＩＭ９’が予め登録されている携帯電話ではない場合、携帯電話１の制御部２１はエラーを送る（ステップ３０７）。
【００６１】
本実施の形態において、携帯電話１’を非接触ＩＣカード１１に置き換えて同様の処理を行うことにより、携帯電話１から非接触ＩＣカード１１に電子チケットを分配することもできる。
また、携帯電話１’のＵＩＭ９’を携帯電話１のＵＩＭに登録する処理は、電子チケット購入後に行ってもよい。
【００６２】
また、携帯電話のサービスにより獲得したサービスポイント、情報等を他の携帯電話、非接触ＩＣカードへ書き込み、移動することもできる。
あるいは、電子マネー等を携帯電話間、あるいは携帯電話と非接触ＩＣカード間で移動させることもできる。
【００６３】
以上、添付図面を参照しながら本発明に係る携帯端末の好適な実施形態について説明したが、前述した実施の形態に限定されない。当業者であれば、特許請求の範囲に記載された技術的思想の範疇内において各種の変更例または修正例に想到し得ることは明らかであり、それらについても当然に本発明の技術的範囲に属するものと了解される。
たとえば、非接触ＩＣ（ＩＤ）カードとして、エマーゲンシー非接触ＩＣ（ＩＤ）カードを携帯電話で読取り、確認をすることもできる。
すなわち、住民証カード、国民健康保険証カード、献血カード、病院のカルテカード、電子パスポート等の非接触ＩＤカードに記録された情報（血液型、アレルギー、病歴／妊娠の有無、投薬履歴による配合禁忌の確認等）を災害時や、緊急事態時等に、携帯電話で読み取り、救急医療に役立てることができる。
【図面の簡単な説明】
【００６４】
【図１】携帯電話１と非接触ＩＣカード１１の構成概略を示す図
【図２】携帯電話１のハードウエア構成図
【図３】ＵＩＭ９のハードウエア構成図
【図４】ＵＩＭ９のメモリ４４の詳細を示す図
【図５】非接触ＩＣカード１１のハードウエア構成図
【図６】非接触ＩＣカード１１のメモリ６４の詳細を示す図
【図７】第１の実施形態の構成を示す図
【図８】第１の実施形態によるクレジットカードの決済履歴表示処理の流れを示すフローチャート
【図９】第２の実施形態の構成を示す図
【図１０】第２の実施形態による社員証認証の処理の流れを示すフローチャート
【図１１】第３の実施形態の構成を示す図
【図１２】携帯電話１’のＵＩＭ９’のメモリ４４’の詳細を示す図
【図１３】第３の実施形態による電子チケット分配の処理の流れを示すフローチャート
【符号の説明】
【００６５】
１………携帯電話
３………アンテナ
５………液晶パネル
７………キーボタン
９………ＵＩＭ
１１………非接触ＩＣカード
【図１】
2008009900.tif 000003
【図２】
2008009900.tif 000004
【図３】
2008009900.tif 000005
【図４】
2008009900.tif 000006
【図５】
2008009900.tif 000007
【図６】
2008009900.tif 000008
【図７】
2008009900.tif 000009
【図８】
2008009900.tif 000010
【図９】
2008009900.tif 000011
【図１０】
2008009900.tif 000012
【図１１】
2008009900.tif 000013
【図１２】
2008009900.tif 000014
【図１３】
2008009900.tif 000015